(57)【特許請求の範囲】
【請求項１】
通信相手と通信を行うべく制御する通信制御装置であって、
当該通信制御装置に対する振る動作を検出する検出手段と、
前記検出手段で振る動作を検出した際は、その振る動作の検出により所定の通信相手と通信を行うことを決定し、更にその振る動作が大きいか否かを判別する判別手段と、
前記判別手段による判別結果に応じて、前記通信相手との通信が緊急通信であることを明示して通信を行うか、あるいは前記通信相手との通信が緊急通信であることを明示しないで通信を行うかを制御する通信制御手段と、
を具備したことを特徴とする通信制御装置。
【請求項２】
前記検出手段は、前記通信制御手段で通信を行うべく制御する場合に、複数の情報の内の何れの情報を選択するかを規定する振る方向の動作も検出し、
前記通信制御手段は、前記検出手段で検出された振る方向に応じた情報を選択して通信すべく制御する、
ことを特徴とする請求項１に記載の通信制御装置。
【請求項３】
前記検出手段は、前記通信制御手段で通信を行うべく制御する場合に、複数の通信相手の内の何れの通信相手を選択するかを規定する振る方向の動作も検出し、
前記通信制御手段は、前記検出手段で検出された振る方向に応じた通信相手を選択して通信すべく制御する、
ことを特徴とする請求項１又は２に記載の通信制御装置。
【請求項４】
前記検出手段は、何れかの通信相手から通信を受信した際に、その時点での前記振る動作の有無を検出し、
前記所定の通信相手は、前記通信を受信した通信相手である、
ことを特徴とする請求項１〜３の何れかに記載の通信制御装置。
【請求項５】
通信相手と通信を行うべく制御する通信制御装置であって、
当該携帯端末装置に対する振る動作を検出する検出手段と、
前記検出手段により振る動作を検出した際は、その振る動作が、複数の振る方向の内の何れの方向に振られた動作かを判別する判別手段と、
前記判別手段による判別結果に応じて、各振る方向毎に対応して予め決められた通信相手の内で、前記判別された方向に対応して決められた通信相手を選択させ、その選択された通信相手に対して通信を行うべく制御する通信制御手段と、
を具備したことを特徴とする通信制御装置。
【請求項６】
前記選択手段は、更に、前記判別された振る方向に応じたメッセージ情報を選択する、
ことを特徴とする請求項５に記載の通信制御装置。
【請求項７】
更に前記振る動作が大きいか否かを判別し、
前記通信制御手段は、前記選択の通信相手に対して通信を行う際に、前記振る動作が大きいと判別された場合には、緊急の通信であることを明示して通信を行うべく制御する、
ことを特徴とする請求項５又は６に記載の通信制御装置。
【請求項８】
通信相手と通信を行うべく制御する通信制御装置のコンピュータを制御するためのプログラムであって、
前記コンピュータを、
当該通信制御装置に対する振る動作を検出する検出手段、
前記検出手段で振る動作を検出した際は、その振る動作の検出により所定の通信相手と通信を行うことを決定し、更にその振る動作が大きいか否かを判別する判別手段、
前記判別手段による判別結果に応じて、前記通信相手との通信が緊急通信であることを明示して通信を行うか、あるいは前記通信相手との通信が緊急通信であることを明示しないで通信を行うかを制御する通信制御手段、
として機能させるコンピュータ読み取り可能なプログラム。
【請求項９】
通信相手と通信を行うべく制御する通信制御装置のコンピュータを制御するためのプログラムであって、
前記コンピュータを、
当該携帯端末装置に対する振る動作を検出する検出手段、
前記検出手段により振る動作を検出した際は、その振る動作が、複数の振る方向の内の何れの方向に振られた動作かを判別する判別手段、
前記判別手段による判別結果に応じて、各振る方向毎に対応して予め決められた通信相手の内で、前記判別された方向に対応して決められた通信相手を選択させ、その選択された通信相手に対して通信を行うべく制御する通信制御手段、
として機能させるコンピュータ読み取り可能なプログラム。
【発明の詳細な説明】
【技術分野】
【０００１】
本発明は、通信相手と通信を行うべく制御する通信制御装置に関する。  
【背景技術】
【０００２】
携帯電話機に着信があった後、ユーザがその携帯電話機を振ることにより、相手端末に対して応答できないことを知らせる技術が知られている。この技術では、携帯電話機に内蔵される加速度センサーが、ユーザによる携帯電話機を振る動作を検出している（例えば、特許文献１参照）。
【先行技術文献】
【特許文献】
【０００３】
【特許文献１】特開２００５−１６７６５１号公報
【発明の概要】
【発明が解決しようとする課題】
【０００４】
しかしながら、応答できないという単一のメッセージを知らせることしかできなかった。
【０００５】
本発明の課題は、装置を振るという簡単な動作で通信可能にすることである。
【課題を解決するための手段】
【０００６】
請求項１記載の発明は、通信相手と通信を行うべく制御する通信制御装置であって、当該通信制御装置に対する振る動作を検出する検出手段と、前記検出手段で振る動作を検出した際は、その振る動作の検出により所定の通信相手と通信を行うことを決定し、更にその振る動作が大きいか否かを判別する判別手段と、前記判別手段による判別結果に応じて、前記通信相手との通信が緊急通信であることを明示して通信を行うか、あるいは前記通信相手との通信が緊急通信であることを明示しないで通信を行うかを制御する通信制御手段と、を具備したことを特徴とする。
請求項５記載の発明は、通信相手と通信を行うべく制御する通信制御装置であって、当該携帯端末装置に対する振る動作を検出する検出手段と、前記検出手段により振る動作を検出した際は、その振る動作が、複数の振る方向の内の何れの方向に振られた動作かを判別する判別手段と、前記判別手段による判別結果に応じて、各振る方向毎に対応して予め決められた通信相手の内で、前記判別された方向に対応して決められた通信相手を選択させ、その選択された通信相手に対して通信を行うべく制御する通信制御手段と、を具備したことを特徴とする。
【発明の効果】
【００１０】
本発明によれば、装置を振るという簡単な動作で通信可能となる。
【図面の簡単な説明】
【００１１】
【図１】本発明の実施形態に係る携帯端末システムの全体構成図。
【図２】サーバ装置１０の電子回路のブロック図。
【図３】サーバ装置１０の記憶装置１６のユーザ属性記憶部１６Ａの具体例を示す図。
【図４】サーバ装置１０の記憶装置１６のメッセージ一覧記憶部１６Ｂの具体例を示す図。
【図５】サーバ装置１０の記憶装置１６のメッセージ情報記憶部１６Ｃの具体例を示す図。
【図６】携帯端末装置２０の電子回路のブロック図。
【図７】携帯端末装置２０において実行される処理のフローチャートを示す図。
【図８】携帯端末装置２０において実行される登録処理のフローチャートを示す図。
【図９】サーバ装置１０において実行される処理のフローチャートを示す図。
【発明を実施するための形態】
【００１２】
以下図面により本発明の実施の形態の一例について説明する。
図１に、本発明の実施形態に係る携帯端末システムの全体構成を示す。
この携帯端末システムは、複数の携帯端末装置２０，…と、サーバ装置１０から構成され、携帯端末装置２０は無線通信にてアクセスポイントＡＰに接続し、ＬＡＮ（Local Area Network）やＷＡＮ（Wide Area Network）等のネットワークＮを介してサーバ装置１０に接続される。以下、この携帯端末装置２０は、例えば店舗で商品の検品作業等で使用されるハンディターミナルとして説明するが、携帯電話等の携帯端末装置であればよい。
【００１３】
図２に、この携帯端末システムにおけるサーバ装置１０の電子回路のブロック図を示す。
サーバ装置１０は、回路各部を制御するＣＰＵ１１に、キーボード等の入力装置１２、表示装置１３、携帯端末装置２０と通信する通信装置１４、メモリ１５、記憶装置１６が、バスライン１７を介して接続される。
【００１４】
表示装置１３は、ＬＣＤ（Liquid Crystal Display）、ＥＬＤ（ElectroLuminescent Display）等で構成され、ＣＰＵ１１からの表示信号に従って画面表示を行う。
【００１５】
記憶装置１６には、各種アプリケーション・プログラム等が記憶され、ユーザ属性記憶部１６Ａ、メッセージ一覧記憶部１６Ｂ、メッセージ情報記憶部１６Ｃを備える。ユーザ属性記憶部１６Ａは、携帯端末装置２０を使用するユーザの所属等の属性を記憶する。また、メッセージ一覧記憶部１６Ｂは、携帯端末装置２０に対して送信可能な複数のメッセージを記憶する。メッセージ情報記憶部１６Ｃは、各携帯端末装置２０の動作方向に応じて送信されるメッセージとそのメッセージの送信先を記憶する。
【００１６】
図３に、ユーザ属性記憶部１６Ａを示す。
このユーザ属性記憶部１６Ａは、携帯端末装置２０を識別可能な識別子である「端末ＩＤ」と、その「属性」が記憶される。例えば、端末ＩＤが「１」である携帯端末装置２０は、「部長」が使用していることを示し、端末ＩＤが「２」である携帯端末装置２０は、「主任」が使用していることを示す。例えば「主任」から「部長」にメッセージを送信する際は、このユーザ属性に応じて、メッセージ情報は敬語に変更される（図９のステップＡ９参照）。
【００１７】
図４に、メッセージ一覧記憶部１６Ｂを示す。
このメッセージ一覧記憶部１６Ｂは、携帯端末装置２０に着信があった際に相手端末２０等に送信する「メッセージ情報」、このメッセージ情報の送信相手である「送信先」、このメッセージ情報の「メッセージ情報ＩＤ」が記憶される。例えば、メッセージ情報ＩＤが「Ａ」である「業務中、後でこちらから連絡する」というメッセージ情報の送信先は、当該携帯端末装置２０に対して通信を行った相手端末２０であることを示す。また「不審者が入店」、「レジ応援依頼」といったメッセージ情報は、送信先は当該携帯端末装置２０に対して通信を行った相手端末２０のみならず全ての携帯端末装置２０「ＡＬＬ」に送信できることを示す。なお、送信先が「ＡＬＬ」と記憶されるメッセージ情報は、ユーザごとに送信先を任意の携帯端末装置２０に選定することができる。
【００１８】
図５に、メッセージ情報記憶部１６Ｃを示す。
このメッセージ情報記憶部１６Ｃは、携帯端末装置２０を示す「端末ＩＤ」ごとに、当該携帯端末装置２０の動作情報である動作「方向」に応じて送信されるメッセージ情報の「メッセージ情報ＩＤ」と、「送信先」が記憶される。例えば、端末ＩＤが「１」である携帯端末装置２０を使用するユーザが「右」方向に当該端末装置２０を振った場合は、「業務中、後でこちらから連絡する」というメッセージ情報を相手端末２０に対して送信することを示す。また例えば、端末ＩＤが「１」である携帯端末装置２０が「下」方向に当該端末装置２０を振った場合は、端末ＩＤが「２」「３」「４」「５」の携帯端末装置２０に対して「不審者が入店」したというメッセージ情報を送信することを示す。このように、ユーザごとに、携帯端末装置２０が振られた動作方向に応じてメッセージ情報を送信でき、またその送信先を任意の携帯端末装置２０に選定できる。
【００１９】
図６に、この携帯端末システムにおける携帯端末装置２０の電子回路のブロック図を示す。
この携帯端末装置２０は、各種制御を行うＣＰＵ２１に、入力装置２２、表示装置２３、通信装置２４、スキャナ２５、記憶装置２６、メモリ２７、この携帯端末装置２０の動作検出手段としての加速度センサー２８がバスライン２９を介して接続される。
【００２０】
入力装置２２は、カーソルキー、数字等の文字入力キー及び各種機能キー等を有するキーパッドを備え、ユーザより押下入力された各キーの入力信号をＣＰＵ２１に出力する。また入力装置２２は、登録ボタン２２Ａ、割込ボタン２２Ｂを備える。登録ボタン２２Ａは、当該携帯端末装置２０の動作情報である方向に応じて送信するメッセージ情報をサーバ装置１０のメッセージ情報記憶部１６Ｃに記憶させるためのトリガーボタンである。割込ボタン２２Ｂは、携帯端末装置２０の稼働中の任意のタイミングでメッセージ情報を送信するためのトリガーボタンである。
【００２１】
表示装置２３は、ＬＣＤ（Liquid Crystal Display）、ＥＬＤ（ElectroLuminescent Display）等で構成され、ＣＰＵ２１からの表示信号に従って画面表示を行う。
【００２２】
通信部２４は、無線用のアンテナを含み、無線ＬＡＮ（Local Area Network）形式でアクセスポイントＡＰと通信する。
【００２３】
スキャナ２５は、商品棚に設置された電子棚札等に付されたバーコード等を光学的に読み取る部品である。スキャナ２５は、バーコード等に照射する光の発光部と、この発光部から発光されてバーコード等で反射される反射光を受光して電気信号に変換する受光部とを備える。
【００２４】
記憶装置２６には、各種アプリケーション・プログラム等が記憶され、当該携帯端末装置を識別可能な端末ＩＤ２６Ａが記憶される。
【００２５】
加速度センサー２８は、３次元空間における加速度、傾き、振動をＸ，Ｙ，Ｚ軸の３軸成分に分けて検出するもので、ＣＰＵ２１によって当該携帯端末装置２０の動作情報を取得する。動作情報とは、本体を水平に保った状態から当該携帯端末装置２０を上・下・左・右・奥・手前方向へ動作させた方向を示す情報である。
【００２６】
次に、本実施形態の携帯端末装置２０の動作について説明する。
図７に、当該携帯端末装置２０における処理フローを示す。図７に示すフローチャートの各処理は、携帯端末装置２０内のＣＰＵ２１が記憶部２６に記憶されているプログラムを読み取り、実行する処理動作を示すものである。
ステップＳ１にて、入力装置２２に設けられた登録ボタン２２Ａが押下されたか否かが判別される。登録ボタン２２Ａが押下されたと判別された場合（ステップＳ１；ＹＥＳ）、登録処理ＳＡが実行される。この登録処理ＳＡでは、携帯端末装置２０の動作に応じて送信するメッセージ情報と、その送信先をメッセージ情報記憶部１６Ｃに記憶する。この登録処理ＳＡは、図８で後述する。
【００２７】
この登録ボタン２２Ａが押下されたと判別されない場合（ステップＳ１；ＮＯ）、サーバ装置１０のメッセージ情報送信手段として送信されたメッセージ情報を受信したか否かが判別される（ステップＳ２）。メッセージ情報を受信したと判別された場合には（ステップＳ２；ＹＥＳ）、そのメッセージは至急確認を要する至急メッセージか否かが判別され（ステップＳ３）、至急メッセージであった場合は（ステップＳ３；ＹＥＳ）、このメッセージは至急確認をしてほしい至急メッセージであることを報知する（ステップＳ４）。なおこの至急メッセージであるかどうかの判別は、サーバ装置１０から至急メッセージが送信されてきたかで判別する（図９のステップＡ１２参照）。なおサーバ装置１０は、後述のステップＳ１９〜ステップＳ２５で実行されて送信される至急フラグが「１」であるか否かで至急メッセージを送信するか否かを判別し、この至急フラグ「１」は、送信相手の携帯端末装置２０がユーザによって所定の閾値よりも大きく振られた場合に設定される。
【００２８】
次に、メッセージ情報の受信に応じて、ユーザが当該携帯端末装置２０を上・下・左・右・奥・手前のいずれかの方向に振ると、動作検出手段としての加速度センサー２８が当該携帯端末装置２０の動作情報を検知する（ステップＳ５）。ここで加速度センサー２８より動作情報が検知されない場合は（ステップＳ５；ＮＯ）、ステップＳ７にて受信内容を確認する処理を実行する。
【００２９】
一方、加速度センサー２８より当該携帯端末装置２０の動作情報が検知された場合（ステップＳ５；ＹＥＳ）、当該携帯端末装置２０の動作情報であるＸ方向とＹ方向とＺ方向の動作量を比較する（ステップＳ６）。ここで、Ｘ方向は左・右方向、Ｙ方向は上・下方向、Ｚ方向は奥・手前方向とする。
【００３０】
ここで一番大きな動作量がＸ方向であった場合（ステップＳ８；ＹＥＳ）、動作量の正負が判別され（ステップＳ９）、正であった場合は（ステップＳ９；ＹＥＳ）、変数「方向」に「右」が格納され（ステップＳ１０）、負であった場合は（ステップＳ９；ＮＯ）、変数「方向」に「左」が格納される（ステップＳ１１）。
【００３１】
また、一番大きな動作量がＺ方向であった場合（ステップＳ１２；ＹＥＳ）、動作量の正負が判別され（ステップＳ１３）、正であった場合は（ステップＳ１３；ＹＥＳ）、変数「方向」に「奥」が格納され（ステップＳ１４）、負であった場合は（ステップＳ１３；ＮＯ）、変数「方向」に「手前」が格納される（ステップＳ１５）。
【００３２】
また、一番大きな動作量がＹ方向であった場合（ステップＳ１２；ＮＯ）、動作量の正負が判別され（ステップＳ１６）、正であった場合は（ステップＳ１６；ＹＥＳ）、変数「方向」に「上」が格納され（ステップＳ１７）、負であった場合は（ステップＳ１６；ＮＯ）、変数「方向」に「下」が格納される（ステップＳ１８）。
【００３３】
このステップＳ８からステップＳ１８までの処理により、ユーザによって当該携帯端末装置２０の振られた方向が変数「方向」に格納される。
【００３４】
次にステップＳ１９にて、割込グラグが「１」であるか否かが判別される。この割込フラグは、ステップＳ２６にて割込ボタン２２Ｂが押下されて実行された処理か否かを識別でき、相手端末２０からの受信（ステップＳ２）に基づく処理であった場合は（ステップＳ１９；ＮＯ）、変数「方向」と記憶装置２６に記憶される当該端末ＩＤ２６Ａをサーバ装置に送信し（ステップＳ２０）、ステップＳ１に戻る。
【００３５】
ステップＳ２６にて、入力装置２２に設けられた割込ボタン２２Ｂが押下された場合（ステップＳ２６；ＹＥＳ）、割込フラグに「１」がセットされる（ステップＳ２７）。この割込ボタン２２Ｂを押下する場合は、例えば、店舗に不審者が入店した場合や、レジの応援を依頼する場合等に、他の携帯端末装置２０を持つスタッフに連絡したい場合である。この割込ボタン２２Ｂを押下して当該携帯端末装置２０を所定の方向に振ることにより、所定の携帯端末装置２０に対して簡単にメッセージを送信することができる。またこの携帯端末装置２０を大きく振る事により、至急メッセージとして相手端末２０に送信することができる。
【００３６】
ステップＳ２８にて、当該携帯端末装置２０の動作情報を検知した場合（ステップＳ２８；ＹＥＳ）、ステップＳ６からステップＳ２５の処理が実行され、検知されない場合は（ステップＳ２８；ＮＯ）、ステップＳ１に戻る。
【００３７】
ステップＳ１９にて、割込グラグが「１」であると判別された場合（ステップＳ１９；ＹＥＳ）、動作量が所定の閾値よりも大きいか否かが判別される（ステップＳ２１）。これは、ユーザが当該携帯端末装置２０を所定の閾値よりも大きく振ったか否かを判別している。動作量が所定の閾値よりも大きいと判別された場合（ステップＳ２１；ＹＥＳ），至急フラグに「１」が設定される（ステップＳ２２）。一方動作量が所定の閾値よりも大きいと判別されない場合（ステップＳ２１；ＮＯ），至急フラグに「０」が設定される（ステップＳ２３）。
【００３８】
そして、変数「方向」と、記憶装置２６に記憶される当該端末ＩＤ２６Ａと、至急フラグがサーバ装置１０に送信され（ステップＳ２４）、割込フラグが「０」にクリアされた後（ステップＳ２５）、ステップＳ１に戻る。
【００３９】
ステップＳ１からステップＳ２８までの処理は、ステップＳ２９にて当該携帯端末装置２０が終了するまで、繰り返される。
【００４０】
このように、メッセージを受信した際に、当該携帯端末装置２０を様々な方向に振る事により、簡単に複数のメッセージ情報を所定の携帯端末装置２０に送信することができるだけでなく、割込ボタン２２Ｂを押下することで、当該携帯端末装置２０が稼働中に、いつでも簡単に複数のメッセージ情報を送信することができる。
【００４１】
図８に、当該携帯端末装置２０における登録処理フローを示す。
この登録処理フローにより、当該携帯端末装置２０の動作情報である「方向」に応じて送信されるメッセージ情報の「メッセージ情報ＩＤ」と、その「送信先」がサーバ装置１０の記憶装置１６のメッセージ情報記憶部１６Ｃに記憶される。
【００４２】
ステップＳＡ１にて、サーバ装置１０に対しメッセージ一覧の送信要求を行う。メッセージ一覧とは、サーバ装置１０の記憶装置１６に記憶されるメッセージ一覧記憶部１６Ｂの内容である。次にステップＳＡ２にてサーバ装置１０からメッセージ一覧が受信されたか否かが判別され（ステップＳＡ２）、受信されたと判別された場合は（ステップＳＡ２；ＹＥＳ），受信されたメッセージ一覧を当該携帯端末装置２０の表示装置２３に表示する（ステップＳＡ３）。そしてユーザから、動作情報である「方向」と、その方向に応じて送信するメッセージ情報と、そのメッセージ情報を送信する「送信先」の入力が受付けられた場合は（ステップＳＡ４；ＹＥＳ）、受付けられた入力内容と共に記憶装置２６に記憶される当該端末ＩＤ２６Ａをサーバ装置１０に送信する（ステップＳＡ５）。
【００４３】
次に、本実施形態のサーバ装置１０の動作について説明する。
図９に、当該サーバ装置１０における処理フローを示す。
ステップＡ１にて、図８のステップＳＡ１でのメッセージ一覧要求が携帯端末装置２０から受信されたか否かが判別される。受信されたと判別された場合（ステップＡ１；ＹＥＳ）、メッセージ一覧記憶部１６Ｂに記憶されるメッセージ一覧情報を要求元の携帯端末装置２０に送信し（ステップＡ２）、ステップＡ１に戻る。
【００４４】
ステップＡ３にて、図８のステップＳＡ５で送信された入力内容を携帯端末装置２０から受信したか否かが判別され、受信されたと判別された場合（ステップＡ３；ＹＥＳ）、受信された「端末ＩＤ」「方向」「メッセージ情報ＩＤ」「送信先」をメッセージ情報記憶部１６Ｃに記憶し（ステップＡ４）、ステップＡ１に戻る。
【００４５】
次に、ステップＡ５にて、携帯端末装置２０から、図７のステップＳ２０或いはステップＳ２４で送信された動作情報である変数「方向」情報を受信したか否かが判別される。変数「方向」が受信されたと判別された場合（ステップＡ５；ＹＥＳ）、メッセージ情報記憶部１６Ｃに記憶され、この変数「方向」に対応するメッセージ情報ＩＤからメッセージ一覧記憶部１６Ｂに記憶されるメッセージ情報を特定する（ステップＡ６）。
【００４６】
そしてメッセージ情報記憶部１６Ｃに記憶される「送信先」全員に特定されたメッセージ情報の送信が終了するまでステップＡ７からステップＡ１３までの処理が繰り返される。全員にメッセージ情報の送信が終了していない場合（ステップＡ７；ＮＯ）、送信先と送信元の端末ＩＤに対応するユーザ属性をユーザ属性記憶部１６Ａから取得して、属性の上下関係を判別する（ステップＡ８）。送信先の属性が上と判別された場合（ステップＡ８；上）、メッセージ情報を敬語に変換する（ステップＡ９）。一方送信先の属性が下と判別された場合は（ステップＡ８；下）、メッセージ情報を丁寧語に変換する（ステップＡ１０）。
【００４７】
次に、至急フラグを判別する（ステップＡ１１）。至急フラグが「１」であった場合（ステップＡ１１；ＹＥＳ）、メッセージ情報を至急メッセージと共に送信先に送信する（ステップＡ１２）。なお至急フラグが「０」であった場合或いは至急フラグがセットされていない場合は（ステップＡ１１；ＮＯ）、至急メッセージは送らず、メッセージ情報のみを送信先に送信する（ステップＡ１３）。
【００４８】
このサーバ装置１０の処理フローは、ステップＡ１４にて終了されるまで、ステップＡ１からステップＡ１３までの処理が繰り返される。
【００４９】
以上、前記実施形態にて説明した通り、本発明によれば、携帯端末装置に対して、複数のメッセージを簡単な操作で送信可能な携帯端末システム及び、そのプログラムを提供できる。
【００５０】
なお、前記実施形態において記載した携帯端末装置２０の処理、すなわち図７、図８のフローチャートに示す各処理と、サーバ装置１０の処理、すなわち図９のフローチャートに示す処理は、何れもコンピュータが読み取り可能なプログラムとして、記憶部２６、記憶部１６に記憶されているが、その他に、メモリカード（ＲＯＭカード、ＲＡＭカード等）、半導体メモリ等の記録媒体に記憶してもよい。また動作検出手段として加速度センサーにて説明したが、当該携帯端末装置２０の動作情報を取得できるデバイスであればよい。またメッセージ情報は、通話での音声メッセージであっても、電子メールでの文章メッセージであってもよく、何らかのメッセージを相手端末である携帯端末装置２０に送信できればよい。
【００５１】
また、本発明は前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。
【００５２】
例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、これらの構成要件が削除されたり組み合わされた構成が発明として抽出され得るものである。
【符号の説明】
【００５３】
１１、２１…ＣＰＵ
１２、２２…入力装置
２２Ａ…登録ボタン
２２Ｂ…割込ボタン
１３、２３…表示装置
１４、２４…通信装置
１５、２７…メモリ
１６、２６…記憶装置
１６Ａ…ユーザ属性記憶部
１６Ｂ…メッセージ一覧記憶部
１６Ｃ…メッセージ情報記憶部
１７、２９…バスライン
２５…スキャナ
２８…加速度センサー
【図１】
0005533932.tif 000002
【図２】
0005533932.tif 000003
【図３】
0005533932.tif 000004
【図４】
0005533932.tif 000005
【図５】
0005533932.tif 000006
【図６】
0005533932.tif 000007
【図７】
0005533932.tif 000008
【図８】
0005533932.tif 000009
【図９】
0005533932.tif 000010